(57)【特許請求の範囲】
【請求項１】
主接点を支持して垂直方向に摺動可能な主接点スライド支持部材を有する電磁接触器の補助接点機構において、
電気絶縁材で形成されて接点を支持し、中央に垂直方向に形成されて下部が閉塞されている軸溝部を有する接点支持部材と、
前記接点支持部材により位置固定的に支持される固定接触子と、
常時前記固定接触子に接触した閉路位置にあり、前記固定接触子から分離される開路位置に移動可能な可動接触子と、
前記接点支持部材に位置固定され、前記可動接触子が前記固定接触子に接触した閉路位置を維持するように前記可動接触子を拘束する磁気吸引力を与える永久磁石と、
前記可動接触子に結合されて前記可動接触子と共に前記軸溝部内で垂直方向に移動可能であり、前記主接点スライド支持部材により下方への圧力が加えられると前記可動接触子を前記開路位置に移動させるように前記可動接触子と共に前記軸溝部内で摺動可能であり、前記閉路位置のとき前記可動接触子から所定距離離隔した位置となり、かつ前記主接点スライド支持部材により下方への圧力が加えられて下方に移動する際に所定時間経過後に前記可動接触子を押して拘束を解放する加圧顎部を有するスライド移動支持子と、
一端部が前記スライド移動支持子に支持されて他端部が前記可動接触子に支持され、前記可動接触子を前記固定接触子から分離される方向に付勢する補助開放スプリングと
を含むことを特徴とする電磁接触器の補助接点機構。
【請求項２】
前記スライド移動支持子の上端部は、前記軸溝部の口径より大きい直径を有する大径部を備えることを特徴とする請求項１に記載の電磁接触器の補助接点機構。
【請求項３】
上端部が前記スライド移動支持子の下端部に支持されて下端部が前記軸溝部内で前記接点支持部材に支持され、前記下方への圧力が消滅すると前記スライド移動支持子が前記閉路位置に復帰するように付勢する復帰スプリングをさらに含むことを特徴とする請求項１又は２に記載の電磁接触器の補助接点機構。
【請求項４】
前記可動接触子は、板スプリングで構成されることを特徴とする請求項１〜３のいずれか一項に記載の電磁接触器の補助接点機構。
【請求項５】
前記スライド移動支持子は、
前記接点支持部材の軸溝部内で垂直移動可能な胴部と、
前記胴部から下方に延設され、前記補助開放スプリングを支持するスプリング収容突部と、
前記スプリング収容突部の下部で前記可動接触子の前記開路位置への移動を制限するように形成されるストッパ段差部と
を含むことを特徴とする請求項１〜４のいずれか一項に記載の電磁接触器の補助接点機構。
【発明の詳細な説明】
【技術分野】
【０００１】
本発明は、電磁接触器に関し、特に、電磁接触器において主接点が閉路する直前まで主接点開閉用励磁コイルに励磁のための電源を供給する補助接点機構に関する。
【背景技術】
【０００２】
電磁接触器は、通常電動機の運転／停止制御のために電源を供給又は遮断する開閉器として多く用いられる電気開閉器である。
【０００３】
電磁接触器は、励磁コイルの励磁により、励磁コイル内に収容された固定コアが可動コアを磁気吸引し、その磁気吸引により、可動コアが固定コア側に移動し、かつ可動コアに結合された電気絶縁材からなる可動接触子支持台（クロスバーとも呼ばれる）が固定コア側に共に移動して、主接点を構成する可動接触子が対応する固定接触子に接触することにより、回路を通電するように閉路状態にする動作原理を有する。
【０００４】
このような電磁接触器は、接続される電動機などの電気的負荷に電源を供給する閉路位置（閉塞位置、オン位置）と、電気的負荷への電源供給を遮断する開路位置（開放位置、オフ位置）とを有する主接点機構と、前記主接点機構の励磁コイルに電源を供給又は遮断する常時閉路接点から構成される補助接点機構とを含んでもよい。
【０００５】
以下、図４〜図６を参照して従来の電磁接触器の一例を説明する。
【０００６】
図４に示す電磁接触器１００は、従来の補助接点機構に代えて本発明による補助接点機構を設置して使用することのできる電磁接触器であり、従来技術と本発明の説明において共通に参照される。
【０００７】
図４に示すように、電磁接触器１００は、主接点機構と補助接点機構３０とを含む。
【０００８】
前記主接点機構は、主接点スライド支持部材１０と励磁コイル２０とを含む。
【０００９】
主接点スライド支持部材１０は、主接点（図示せず）、すなわち接点を有する主固定接触子及び主可動接触子のうち主可動接触子に結合されて共に垂直方向に摺動可能な支持部材である。
【００１０】
電磁接触器１００のケースの側壁には、主接点スライド支持部材１０の側壁部を摺動可能にガイドして支持するように、垂直ガイド溝部（図示せず）が設けられてもよい。
【００１１】
主接点スライド支持部材１０には、主接点スライド支持部材１０から補助接点機構３０側に延びるように、主接点スライド支持部材１０と一体に補助接点加圧部１０ａが設けられる。
【００１２】
補助接点加圧部１０ａは、主接点スライド支持部材１０の垂直移動に従って、補助接点機構３０を加圧する位置と補助接点機構３０から遠ざかる位置とに昇降する主接点スライド支持部材１０の部分である。
【００１３】
励磁コイル２０は、電流を流すと電磁石となる（すなわち、励磁される）コイルで構成され、励磁コイル２０は、固定コア（図示せず）の周辺に設けられて励磁コイル組立体を形成する。
【００１４】
前記固定コアの上方には、前記固定コアに対向するように可動コア（図示せず）が設けられ、前記可動コアは、主接点スライド支持部材１０に結合され、主接点スライド支持部材１０と共に前記固定コアに近づく方向又は前記固定コアから遠ざかる方向（すなわち、垂直方向）に移動することができる。
【００１５】
図４において、符号４０は、前記主接点機構の励磁コイル組立体及び補助接点機構３０を収容する筐体であるコイル組立体収容筐体を示す。
【００１６】
コイル組立体収容筐体４０の内側壁には、後述する補助接点機構３０の接点支持部材３１を位置固定して支持する支持壁部（図示せず）が設けられてもよい。
【００１７】
以下、図４〜図６を参照して従来の電磁接触器の補助接点機構３０の構成及び作用を詳細に説明する。
【００１８】
従来の電磁接触器の補助接点機構３０は、接点支持部材３１、スライド移動支持子３２、固定接触子３３、可動接触子３４、補助接圧スプリング３５、及び復帰スプリング３６を含む。
【００１９】
接点支持部材３１は、固定接触子３３を支持する手段であり、スライド移動支持子３２が垂直移動できるように、内部に上面から閉塞された底面まで垂直方向に長く形成された軸溝部３１ａを有する。
【００２０】
接点支持部材３１は、電気絶縁性を有する合成樹脂絶縁材で製作してもよい。また、接点支持部材３１は、コイル組立体収容筐体４０の内側壁に設けられる支持壁部により固定支持されるようにしてもよい。
【００２１】
スライド移動支持子３２は、接点支持部材３１の軸溝部３１ａを垂直方向にスライド昇降する手段であり、中央部に可動接触子３４が嵌合されて可動接触子３４に結合される。
【００２２】
固定接触子３３は、電気導体からなる略Ｌ字状の薄板部材で構成され、接点支持部材３１の上部外側に露出するように突出する端子部と、接点支持部材３１の内部に延びて端部に接点を有する接点部とを含む。
【００２３】
固定接触子３３は、一対で構成されて接点支持部材３１に固定支持され、一方の固定接触子３３は、電磁接触器１００の開閉のために外部の制御電源線（図示せず）に電気的に接続され、他方の固定接触子３３は、前記主接点機構の励磁コイル２０に電気的に接続されるようにしてもよい。
【００２４】
可動接触子３４は、電気導体からなる略一字状の薄板部材で構成され、スライド移動支持子３２の中央部に貫通して嵌められる支持部と、固定接触子３３の接点部に対向するように可動接触子３４の両端部に設けられ、スライド移動支持子３２の移動に従って、固定接触子３３の接点部に接触する位置と固定接触子３３の接点部から分離される位置とに、垂直方向に移動可能な接点部とを含む。
【００２５】
補助接圧スプリング３５は、可動接触子３４の中央部底面とスライド移動支持子３２の下部に垂直方向に移動可能に設けられたスプリング支持子（符号なし）との間に支持され、可動接触子３４を固定接触子３３側に付勢する。
【００２６】
復帰スプリング３６は、前記スプリング支持子の下端部と接点支持部材３１の底面から上方に突設されたスプリング支持突部（符号なし）との間に支持され、前記スプリング支持子が上方に移動するように付勢する。
【００２７】
以下、図４〜図６を参照して、このように構成される従来の電磁接触器の補助接点機構３０の動作を説明する。
【００２８】
まず、電磁接触器の閉路位置（オン位置）への動作（補助接点機構の開路位置への動作）を説明する。
【００２９】
前記外部の制御電源線から制御電源が供給されると、図５の状態では、可動接触子３４が両固定接触子３３に接触した状態で両固定接触子３３間に電流が流れるので、前記外部の制御電源線からの電流が励磁コイル２０に流れる。
【００３０】
従って、励磁コイル２０が励磁されて前記可動コア及び主接点スライド支持部材１０を下方に吸引することにより、主接点スライド支持部材１０に結合された主可動接触子（図示せず）が下方の主固定接触子（図示せず）に接触する閉路位置への動作が行われる。
【００３１】
これにより、主接点スライド支持部材１０と一体に設けられた補助接点加圧部１０ａも主接点スライド支持部材１０と共に下降することにより、スライド移動支持子３２の上端部を下方に加圧する。
【００３２】
すると、図６のように、スライド移動支持子３２及び可動接触子３４が補助接圧スプリング３５及び復帰スプリング３６の付勢力に打ち勝って共に下方に移動する。このとき、スライド移動支持子３２は、昇降通路である接点支持部材３１の軸溝部３１ａをスライド下降する。
【００３３】
つまり、可動接触子３４が両固定接触子３３から分離され、従って、補助接点機構３０を介して前記主接点機構側に供給されていた制御電源の供給は遮断される。
【００３４】
次に、電磁接触器の開路位置（オフ位置）への動作（補助接点機構の閉路位置への動作）を説明する。
【００３５】
前記外部の制御電源線からの制御電源の供給が中断されると、すなわち、制御電源線を介した制御信号がないと、図５のように可動接触子３４が両固定接触子３３に接触した状態であっても両固定接触子３３に電流が流れなくなるので、前記外部の制御電源線からの電流が励磁コイル２０に流れなくなる。
【００３６】
従って、励磁コイル２０が消磁されて前記可動コア及び主接点スライド支持部材１０を下方に吸引していた磁気吸引力が消滅し、リターンスプリング（図示せず）の付勢力により主接点スライド支持部材１０が上方に移動することにより、主接点スライド支持部材１０に結合された主可動接触子（図示せず）が下方の主固定接触子（図示せず）から分離される開路位置への動作が行われる。
【００３７】
これにより、主接点スライド支持部材１０と一体に設けられた補助接点加圧部１０ａも主接点スライド支持部材１０と共に上昇することにより、スライド移動支持子３２の上端部を下方に加圧していた圧力が消滅する。
【００３８】
すると、スライド移動支持子３２及び可動接触子３４は、補助接圧スプリング３５及び復帰スプリング３６の付勢力により共に上方に移動する。このとき、スライド移動支持子３２は、昇降通路である接点支持部材３１の軸溝部３１ａをスライド上昇する。
【００３９】
つまり、可動接触子３４が両固定接触子３３に接触し、補助接点機構３０を介して前記主接点機構側に供給される次の制御電源の供給を待機する。
【発明の概要】
【発明が解決しようとする課題】
【００４０】
しかし、このような従来の電磁接触器の補助接点機構においては、主接点スライド支持部材１０と一体に設けられた補助接点加圧部１０ａが補助接点機構３０のスライド移動支持子３２を下方に加圧するや否や補助接点機構３０の可動接触子３４が両固定接触子３３から分離されるため、主接点機構の閉路位置への動作が完了する前に主接点機構への電源供給が中断され、主接点機構の閉路位置への動作を完了できなくなる現象が発生するという問題があった。
【００４１】
本発明は、このような従来技術の問題を解決するためになされたものであり、主接点機構の閉路位置への動作が完了する終期まで補助接点機構の閉路位置を維持することができ、主接点機構の閉路位置への動作が完了すると直ちに補助接点機構の開路動作を行うことができる、電磁接触器の補助接点機構を提供することを目的とする。
【課題を解決するための手段】
【００４２】
上記本発明の目的は、主接点を支持して垂直方向に摺動可能な主接点スライド支持部材を有する電磁接触器の補助接点機構において、電気絶縁材で形成されて接点を支持し、中央に垂直方向に形成されて下部が閉塞されている軸溝部を有する接点支持部材と、前記接点支持部材により位置固定的に支持される固定接触子と、常時前記固定接触子に接触した閉路位置にあり、前記固定接触子から分離される開路位置に移動可能な可動接触子と、前記接点支持部材に位置固定され、前記可動接触子が前記固定接触子に接触した閉路位置を維持するように前記可動接触子を拘束する磁気吸引力を与える永久磁石と、前記可動接触子に結合されて前記可動接触子と共に前記軸溝部内で垂直方向に移動可能であり、前記主接点スライド支持部材により下方への圧力が加えられると前記可動接触子を前記開路位置に移動させるように前記可動接触子と共に前記軸溝部内で摺動可能であり、前記閉路位置のとき前記可動接触子から所定距離離隔した位置となり、かつ前記主接点スライド支持部材により下方への圧力が加えられて下方に移動する際に所定時間経過後に前記可動接触子を押して拘束を解放する加圧顎部を有するスライド移動支持子とを含む、本発明による電磁接触器の補助接点機構を提供することにより達成される。
【００４３】
本発明の一態様によれば、本発明による電磁接触器の補助接点機構は、一端部が前記スライド移動支持子に支持されて他端部が前記可動接触子に支持され、前記可動接触子を前記固定接触子から分離される方向に付勢する補助開放スプリングをさらに含む。
【００４４】
本発明の他の態様によれば、前記スライド移動支持子の上端部は、前記軸溝部の口径より大きい直径を有する大径部を備える。
【００４５】
本発明のさらに他の態様によれば、本発明による電磁接触器の補助接点機構は、上端部が前記スライド移動支持子の下端部に支持されて下端部が前記軸溝部内で前記接点支持部材に支持され、前記下方への圧力が消滅すると前記スライド移動支持子が前記閉路位置に復帰するように付勢する復帰スプリングをさらに含む。
【００４６】
本発明のさらに他の態様によれば、前記可動接触子は、板スプリングで構成される。
【００４７】
本発明のさらに他の態様によれば、前記スライド移動支持子は、前記接点支持部材の軸溝部内で垂直移動可能な胴部と、前記胴部から下方に延設され、前記補助開放スプリングを支持するスプリング収容突部と、前記スプリング収容突部の下部で前記可動接触子の前記開路位置への移動を制限するように形成されるストッパ段差部とを含む。
【発明の効果】
【００４８】
本発明による電磁接触器の補助接点機構は、可動接触子を固定接触子から分離される方向に付勢する補助開放スプリングをさらに含むので、主接点機構の閉路位置への動作が完了すると直ちに補助接点機構が開路動作できるように付勢力を与えることができるという効果がある。
【００４９】
本発明による電磁接触器の補助接点機構において、スライド移動支持子の上端部は、接点支持部材の軸溝部の口径より大きい直径を有する大径部を備えるので、軸溝部からの異物の流入を防止することができ、スライド移動支持子の垂直方向の下降移動を制限することができるという効果がある。
【００５０】
本発明による電磁接触器の補助接点機構は、主接点機構の主接点スライド支持部材による下方への圧力が消滅するとスライド移動支持子が閉路位置に復帰するように付勢する復帰スプリングをさらに含むので、主接点スライド支持部材による下方への圧力が消滅したときに補助接点機構の可動接触子が固定接触子に接触する初期位置に復帰することができるという効果がある。
【００５１】
本発明による電磁接触器の補助接点機構において、可動接触子は、板スプリングで構成されるので、固定接触子との接触時に自己付勢力による接触力強化効果が得られる。
【００５２】
本発明による電磁接触器の補助接点機構は、スプリング収容突部の下部で可動接触子の開路位置への移動を制限するように形成されるストッパ段差部をさらに含むので、開路位置への動作時に可動接触子の開路位置への移動を制限することにより、その後可動接触子が固定接触子に接触する閉路位置に動作する際に動作速度が迅速になるという効果がある。
【図面の簡単な説明】
【００５３】
【図１】本発明の好ましい実施形態による電磁接触器の補助接点機構の構成及び動作状態（閉路位置のときの状態）を示す斜視図である。
【図２】本発明の好ましい実施形態による電磁接触器の補助接点機構の構成及び動作状態（開路位置への動作の初期状態）を示す斜視図である。
【図３】本発明の好ましい実施形態による電磁接触器の補助接点機構の構成及び動作状態（開路位置への動作の完了状態）を示す斜視図である。
【図４】電磁接触器の概略構成を示す斜視図である。
【図５】従来の電磁接触器の補助接点機構の構成及び動作状態（閉路位置のときの状態）を示す斜視図である。
【図６】従来の電磁接触器の補助接点機構の構成及び動作状態（開路位置のときの状態）を示す斜視図である。
【発明を実施するための形態】
【００５４】
上記本発明の目的とそれを達成する本発明の構成及び作用効果は、添付の図面を参照した本発明の好ましい実施形態の後述する詳細な説明によりさらに明確に理解できるであろう。
【００５５】
以下、図１〜図４を参照して本発明の好ましい実施形態による電磁接触器の補助接点機構の構成及び作用効果を説明する。
【００５６】
本発明による補助接点機構は、図４を参照して背景技術の欄で記載したような電磁接触器１００に設置して使用することができる。
【００５７】
図４を参照して前述したように、電磁接触器１００は、主接点を支持して垂直方向に摺動可能な主接点スライド支持部材１０を有する。また、図２及び図３に示すように、電磁接触器１００は補助接点加圧部１０ａを含み、補助接点加圧部１０ａは、主接点スライド支持部材１０の垂直移動に従って、補助接点機構３０を加圧する位置と補助接点機構３０から遠ざかる位置とに昇降する主接点スライド支持部材１０の部分である。
【００５８】
以下、図１及び図４を参照して本発明の好ましい実施形態による補助接点機構の構成を説明する。なお、本実施形態においては、本発明による補助接点機構が図４を参照して前述したような電磁接触器１００に設置される場合を説明するが、これに限定されるものではない。
【００５９】
本発明の好ましい実施形態による補助接点機構３０は、接点支持部材３１、固定接触子３３、可動接触子３４、永久磁石３７、及びスライド移動支持子３２を含む。
【００６０】
接点支持部材３１は、電気絶縁材で形成されて接点、すなわち固定接触子３３を支持する部材であり、中央に垂直方向に形成されて下部が閉塞されている軸溝部３１ａを有する。
【００６１】
固定接触子３３は、接点支持部材３１により位置固定的に支持される接触子であり、一対で構成され、それぞれ一端部（接点支持部材３１の内部に位置する端部）には接点が取り付けられて備えられ、他端部（接点支持部材３１の外部に露出する端部）は外部電路に接続される端子となる。一対の固定接触子３３のうち、一方の固定接触子３３は、電磁接触器１００の励磁制御のための制御信号を発生する電源に電気的に接続され、他方の固定接触子３３は、電磁接触器１００の主接点機構の励磁コイル２０に電気的に接続されるようにしてもよい。
【００６２】
可動接触子３４は、常時固定接触子３３に接触した閉路位置にあり、すなわち、いわゆる常閉接点（Normally Closed Contact）であり、固定接触子３３から分離される開路位置に移動可能である。
【００６３】
可動接触子３４は、永久磁石３７の磁束によりその位置を拘束できるように、接点を除く一字状の胴部部分が鉄材からなることが好ましい。
【００６４】
本発明の好ましい態様によれば、可動接触子３４は、固定接触子３３に接触する接触圧力を付勢力により補強できるように、板スプリングで構成される。
【００６５】
永久磁石３７は、接点支持部材３１の所定位置に固定される。本実施形態においては、当該固定位置が、接点支持部材３１のうち一対の固定接触子３３の間であるが、これに限定されるものではない。
【００６６】
永久磁石３７は、可動接触子３４が固定接触子３３に接触した閉路位置を維持するように、可動接触子３４を拘束する磁束による磁気吸引力を与える。
【００６７】
スライド移動支持子３２は、略軸状の電気絶縁材からなる部材であり、可動接触子３４に結合され、可動接触子３４と共に接点支持部材３１の軸溝部３１ａ内で垂直方向に移動可能である。
【００６８】
スライド移動支持子３２は、主接点スライド支持部材１０により下方への圧力が加えられると、可動接触子３４を前記開路位置に移動させるように、可動接触子３４と共に接点支持部材３１の軸溝部３１ａ内で摺動可能である。
【００６９】
また、スライド移動支持子３２は、主接点スライド支持部材１０により下方への圧力が加えられて下方に移動する際に、所定時間経過後に可動接触子３４を押して永久磁石３７による拘束を解放する加圧顎部３２ｆを有する。このために、加圧顎部３２ｆは、前記閉路位置のとき、可動接触子３４から所定距離ｄ１だけ離隔した位置となる。
【００７０】
本発明の好ましい態様によれば、スライド移動支持子３２の上端部は、軸溝部３１ａの口径より大きい直径を有する大径部３２ｃを備える。
【００７１】
本発明の好ましい態様によれば、本発明の好ましい実施形態による補助接点機構３０は、一端部がスライド移動支持子３２に支持されて他端部が可動接触子３４に支持され、可動接触子３４を固定接触子３３から分離される方向に付勢する補助開放スプリング３５−１をさらに含む。
【００７２】
本発明の好ましい態様によれば、スライド移動支持子３２は、胴部３２ａ、首部３２ｂ、スプリング収容突部３２ｇ、及びストッパ段差部３２ｄを含む。
【００７３】
胴部３２ａは、スライド移動支持子３２の中間部分であって、略四角形の横断面形状を有し、接点支持部材３１の軸溝部３１ａ内で上下に垂直移動可能である。
【００７４】
首部３２ｂは、胴部３２ａと大径部３２ｃとの間に形成される部分であって、胴部３２ａ及び大径部３２ｃより幅は小さく長さは長く形成される。首部３２ｂの長さｌは、図１の初期状態における加圧顎部３２ｆと可動接触子３４との離隔距離ｄ１よりは長くし、スライド移動支持子３２の動作長さ（ストローク）を考慮して決定すればよい。
【００７５】
スプリング収容突部３２ｇは、胴部３２ａから下方に延設される突部であり、補助開放スプリング３５−１の内部に挿入されて補助開放スプリング３５−１の一端部（上端部）を支持する。
【００７６】
ストッパ段差部３２ｄは、スプリング収容突部３２ｇの下部で可動接触子３４の前記開路位置への移動を制限するように形成される。より詳細には、ストッパ段差部３２ｄは、スプリング収容突部３２ｇの下部で補助開放スプリング３５−１の伸張方向と直角方向となる図の手前側に突設され、固定接触子３３から分離されて開路方向である下方に移動する可動接触子３４を停止させる部分である。
【００７７】
本発明の好ましい態様によれば、補助接点機構３０は、復帰スプリング３６をさらに含む。
【００７８】
復帰スプリング３６は、上端部がスライド移動支持子３２の下端部に支持されて下端部が軸溝部３１ａ内で接点支持部材３１の底部３１ｂに支持されるスプリングである。
【００７９】
より詳細には、スライド移動支持子３２の下端部には、復帰スプリング３６の内部に挿入できるように下方に突設されるスプリングシート部３２ｅが設けられ、接点支持部材３１の底部３１ｂにも、復帰スプリング３６の内部に挿入できるようにスプリングシート部が設けられており、両スプリングシート部により復帰スプリング３６が支持される。
【００８０】
復帰スプリング３６は、主接点スライド支持部材１０によりスライド移動支持子３２に加えられていた下方への圧力が消滅すると、スライド移動支持子３２が前記閉路位置に復帰するように付勢する。
【００８１】
以下、図１〜図４を参照して、このように構成される本発明の好ましい実施形態による補助接点機構３０の動作を説明する。
【００８２】
まず、電磁接触器１００の閉路位置（オン位置）への動作（補助接点機構の開路位置への動作）を説明する。
【００８３】
外部の制御電源線（図示せず）から制御電源が供給されると、図１の状態では、可動接触子３４が両固定接触子３３に接触した状態で両固定接触子３３間に電流が流れるので、前記外部の制御電源線からの電流が励磁コイル２０に流れる。
【００８４】
従って、励磁コイル２０が励磁されて前記可動コア（図示せず）及び主接点スライド支持部材１０を下方に吸引することにより、主接点スライド支持部材１０に結合された主可動接触子（図示せず）が下方の主固定接触子（図示せず）に接触する閉路位置への動作が行われる。
【００８５】
これにより、主接点スライド支持部材１０と一体に設けられた補助接点加圧部１０ａも主接点スライド支持部材１０と共に下降することにより、図２のように、スライド移動支持子３２の大径部３２ｃを下方に加圧する。
【００８６】
すると、スライド移動支持子３２及び可動接触子３４が復帰スプリング３６の付勢力に打ち勝って共に下方に移動する。このとき、スライド移動支持子３２は、昇降通路である接点支持部材３１の軸溝部３１ａをスライド下降する。
【００８７】
このとき、本発明の好ましい実施形態による補助接点機構３０は、従来技術とは異なり、スライド移動支持子３２が下降を開始するや否や可動接触子３４が両固定接触子３３から分離されるのではなく、可動接触子３４が両固定接触子３３に接触した状態を維持していて、スライド移動支持子３２のうち、可動接触子３４から所定距離ｄ１だけ離隔していた加圧顎部３２ｆが可動接触子３４を加圧するとき、永久磁石３７の接触維持のための磁力に打ち勝ち、図２に示すように可動接触子３４が両固定接触子３３から分離され始める。
【００８８】
つまり、本発明の好ましい実施形態による補助接点機構３０においては、スライド移動支持子３２が下降を開始し、スライド移動支持子３２が加圧顎部３２ｆと可動接触子３４との初期離隔距離ｄ１を下方に移動する時間だけ遅延して可動接触子３４が両固定接触子３３から分離される。
【００８９】
従って、本発明の好ましい実施形態による補助接点機構３０においては、従来技術とは異なり、主接点機構の励磁コイル２０に投入動作のための励磁電流を終期まで供給して電磁接触器１００の投入動作（オン位置への動作）を安定して完了することができ、また、閉路動作後に前記主接点機構の励磁コイル２０に供給されていた電流を遮断して励磁コイル２０の焼損を防止することができるという効果が得られる。
【００９０】
その後、可動接触子３４は、図３に示すように補助開放スプリング３５−１の伸張による付勢力により瞬間的に両固定接触子３３からの分離が完了し、従って、補助接点機構３０を介して前記主接点機構側に供給されていた制御電源の供給は遮断される。
【００９１】
次に、電磁接触器１００の開路位置（オフ位置）への動作（補助接点機構の閉路位置への動作）を説明する。
【００９２】
前記外部の制御電源線からの制御電源の供給が中断されると、すなわち、制御電源線を介した制御信号がないと、図１のように可動接触子３４が両固定接触子３３に接触した状態であっても両固定接触子３３に電流が流れなくなるので、前記外部の制御電源線からの電流が励磁コイル２０に流れなくなる。
【００９３】
従って、励磁コイル２０が消磁されて前記可動コア及び主接点スライド支持部材１０を下方に吸引していた磁気吸引力が消滅し、リターンスプリング（図示せず）の付勢力により主接点スライド支持部材１０が上方に移動することにより、主接点スライド支持部材１０に結合された主可動接触子（図示せず）が下方の主固定接触子（図示せず）から分離される開路位置への動作が行われる。
【００９４】
これにより、主接点スライド支持部材１０と一体に設けられた補助接点加圧部１０ａも主接点スライド支持部材１０と共に上昇することにより、スライド移動支持子３２の上端部を下方に加圧していた圧力が消滅する。
【００９５】
すると、スライド移動支持子３２及び可動接触子３４は、復帰スプリング３６の付勢力により共に上方に移動する。このとき、スライド移動支持子３２は、昇降通路である接点支持部材３１の軸溝部３１ａをスライド上昇する。
【００９６】
つまり、可動接触子３４が両固定接触子３３に接触し、補助接点機構３０を介して前記主接点機構側に供給される次の制御電源の供給を待機する。
【符号の説明】
【００９７】
１０    主接点スライド支持部材
１０ａ    補助接点加圧部
２０    励磁コイル
３０    補助接点機構
３１    接点支持部材
３１ａ    軸溝部
３２    スライド移動支持子
３２ａ    胴部
３２ｂ    首部
３２ｃ    大径部
３２ｄ    ストッパ段差部
３２ｅ    スプリングシート部
３２ｆ    加圧顎部
３３    固定接触子
３４    可動接触子
３５    補助接圧スプリング
３５−１    補助開放スプリング
３６    復帰スプリング
３７    永久磁石
４０    コイル組立体収容筐体
１００    電磁接触器１００
【図１】
0005497880.tif 000002
【図２】
0005497880.tif 000003
【図３】
0005497880.tif 000004
【図４】
0005497880.tif 000005
【図５】
0005497880.tif 000006
【図６】
0005497880.tif 000007